(57)【要約】本発明の目的は、軽量化を図りつつ、容器口部の環状突起への係止力を十分に保つことのできる合成樹脂製キャップを提供することにある。本発明に係る合成樹脂製キャップは、容器口部（Ｍ）の外周に形成された雄ねじ（Ｍ１）に螺合する雌ねじ（５）が設けられたスカート壁（３）と、該スカート壁（３）の下部に環状弱化部（１０）を介して連結されたタンパーエビデンスバンド（９）とを具備したキャップ（１）であって、前記タンパーエビデンスバンド（９）の内周側に、前記容器口部（Ｍ）の外周に設けられた環状突起（Ｍ２）に下方から係止可能な係止片（１１）が周方向に間隔をおいて複数設けられ、少なくとも一部の前記係止片（１１）に突出部（１４）を設けてある。
2017061001.tif 000002
【特許請求の範囲】
【請求項１】
容器口部の外周に形成された雄ねじに螺合する雌ねじが設けられたスカート壁と、該スカート壁の下部に環状弱化部を介して連結されたタンパーエビデンスバンドとを具備したキャップであって、  前記タンパーエビデンスバンドの内周側に、前記容器口部の外周に設けられた環状突起に下方から係止可能な係止片が周方向に間隔をおいて複数設けられ、  少なくとも一部の前記係止片に突出部を設けてあることを特徴とする合成樹脂製キャップ。
【請求項２】
前記突出部は、前記係止片の先端から先方に突出している請求項１に記載の合成樹脂製キャップ。
【請求項３】
前記突出部は、前記係止片よりも薄肉に構成されている請求項２に記載の合成樹脂製キャップ。
【請求項４】
前記突出部は、前記係止片の下面に設けられている請求項１に記載の合成樹脂製キャップ。
【請求項５】
前記突出部は、前記係止片の左右の幅方向における中央に設けられている請求項１〜４の何れか一項に記載の合成樹脂製キャップ。
【請求項６】
隣り合う前記係止片の先端部どうしを連結してある請求項１〜５の何れか一項に記載の合成樹脂製キャップ。
【発明の詳細な説明】
【技術分野】
【０００１】  本発明は、例えば、飲料物等の内容物を収容する容器の口部に装着される合成樹脂製キャップに関する。
【背景技術】
【０００２】  飲料物等の内容物を収容する容器の口部に装着されるキャップとして、一目で開封の有無を確認可能に構成されたものが広く用いられている。このようなキャップとして、容器口部の雄ねじに螺合する雌ねじが設けられたスカート壁を有するキャップ本体と、スカート壁の下部に環状弱化部を介して連結されたタンパーエビデンスバンドとを具備するものが知られている。【０００３】  上記従来のキャップでは、容器口部に装着された状態からの開封操作（回転操作）に伴い、タンパーエビデンスバンドの内周に設けられた係止片（フラップ）が容器口部の外周に設けられた環状突起（係止あご部）に係止した後、タンパーエビデンスバンドとスカート壁とを画するミシン目状のスリット間に形成されたブリッジ（橋絡部）が破断され、キャップ本体とタンパーエビデンスバンドとが互いに分離される（特許文献１参照）。従って、環状弱化部を構成するブリッジの破断の有無を視認することにより、開封操作が行われたか否かを容易に確認することができる。
【先行技術文献】
【特許文献】
【０００４】
【特許文献１】特開２０１０−１９５４５５号公報
【発明の概要】
【発明が解決しようとする課題】
【０００５】  ところで、従来の軽量化キャップでは、スカート壁の薄肉化による軽量化が図られている。そして、更なる軽量化のために、本発明者らは係止片を薄肉化する試みを行っているが、係止片の薄肉化により、容器口部の環状突起への係止力が不足する恐れがある。【０００６】  本発明は上述の事柄に留意してなされたもので、その目的は、軽量化を図りつつ、容器口部の環状突起への係止力を十分に保つことのできる合成樹脂製キャップを提供することにある。
【課題を解決するための手段】
【０００７】  上記目的を達成するために、本発明に係る合成樹脂製キャップは、容器口部の外周に形成された雄ねじに螺合する雌ねじが設けられたスカート壁と、該スカート壁の下部に環状弱化部を介して連結されたタンパーエビデンスバンドとを具備したキャップであって、前記タンパーエビデンスバンドの内周側に、前記容器口部の外周に設けられた環状突起に下方から係止可能な係止片が周方向に間隔をおいて複数設けられ、少なくとも一部の前記係止片に突出部を設けてある（請求項１）。【０００８】  上記合成樹脂製キャップにおいて、前記突出部が、前記係止片の先端から先方に突出していてもよい（請求項２）。【０００９】  上記合成樹脂製キャップにおいて、前記突出部が、前記係止片よりも薄肉に構成されていてもよい（請求項３）。【００１０】  上記合成樹脂製キャップにおいて、前記突出部が、前記係止片の下面に設けられていてもよい（請求項４）。【００１１】  上記合成樹脂製キャップにおいて、前記突出部は、前記係止片の左右の幅方向における中央に設けられていてもよい（請求項５）。【００１２】  上記合成樹脂製キャップにおいて、隣り合う前記係止片の先端部どうしを連結してあってもよい（請求項６）。
【発明の効果】
【００１３】  本願発明では、軽量化を図りつつ、容器口部の環状突起への係止力を十分に保つことのできる合成樹脂製キャップが得られる。【００１４】  すなわち、開封時に、上向きに突出するようにした係止片が大きく倒れてしまうと、容器口部の環状突起に押圧された係止片が再反転して下向きに突出する状態になり易く、係止片が環状突起に良好に係止しなくなる。しかし、本願の各請求項に係る発明の合成樹脂製キャップでは、係止片に突出部を設けてあり、上向きに突出するようにした係止片が大きく倒れてしまうことは、容器口部の外周面に対する突出部の当接によって防止され、これにより、環状突起に対する係止片の係止が良好に行われることとなる。【００１５】  請求項２，３に係る発明の合成樹脂製キャップでは、突出部が環状突起の外周面に当接するようにしておくことにより、開封時に係止片が倒れないため、環状突起に対する係止片の係止が非常に強力に行われることとなる。【００１６】  請求項４に係る発明の合成樹脂製キャップでは、係止片の下面に設けた凸部によるリブ効果により、係止片の強度が向上することになるので、係止片全体を薄くして軽量化を図ることが容易となる。【００１７】  請求項６に係る発明の合成樹脂製キャップでは、隣り合う係止片の先端部どうしを連結することにより、開封時に、上向きに突出するようにした係止片が大きく倒れてしまうことは一層確実に防止され、その結果、環状突起に対する係止片の係止が非常に良好に行われることとなる。
【図面の簡単な説明】
【００１８】
【図１】（Ａ）及び（Ｂ）は、本発明の一実施の形態に係る合成樹脂製キャップの構成を概略的に示す平面図及び底面図である。
【図２】容器口部への装着前の前記合成樹脂製キャップの構成を概略的に示す要部拡大縦断端面図である。
【図３】前記合成樹脂製キャップの構成を概略的に示す縦断面図である。
【図４】結晶化ボトルの容器口部に装着した状態の前記合成樹脂製キャップの構成を概略的に示す半縦断面図（略左右対称となる縦断面の左半分を示す図）である。
【図５】非結晶ボトルの容器口部に装着した状態の前記合成樹脂製キャップの構成を概略的に示す半縦断面図（略左右対称となる縦断面の左半分を示す図）である。
【図６】前記合成樹脂製キャップの変形例の構成を概略的に示す斜視図である。
【図７】前記合成樹脂製キャップの変形例の構成を概略的に示す縦断面図である。
【図８】前記合成樹脂製キャップの変形例の構成を概略的に示す部分拡大縦端面図である。
【図９】前記合成樹脂製キャップの更なる変形例の構成を概略的に示す部分拡大縦端面図である。
【発明を実施するための形態】
【００１９】  本発明の実施の形態について図面を参照しながら以下に説明する。
【００２０】  図１〜図３に示す合成樹脂製キャップ（以下、キャップという）１は、例えばペットボトル等の容器の口部Ｍ（図４参照）に装着されて使用されるものであり、コンプレッション成形又はインジェクション成形によって、ポリエチレンで一体的に成形されている。なお、キャップ１を形成する素材は、特に限定されるものではなく、本実施形態で用いたポリエチレンの他、ポリプロピレン等が好適に用いられる。
【００２１】  また、図１〜図４に示すように、キャップ１は、平面視において略円形状の天壁２と、この天壁２の外周部から下向きに延びる略円筒状のスカート壁３を有している。ここで、スカート壁３の外周面にはローレット溝４を、内周面には雌ねじ５を設けてあり、この雌ねじ５は容器口部の外周に形成された雄ねじＭ１に結合可能である。
【００２２】  そして、容器口部Ｍの雄ねじＭ１にスカート壁３の雌ねじ５が結合するようにキャップ１を回転させて容器口部Ｍに装着すると、天壁２の内面（下面）に連設された環状の中足（インナーリング）６、環状リブ７及び環状の外足（アウターリング）８が容器口部Ｍに密着し、これにより、容器口部Ｍが密封された状態となる（図４参照）。すなわち、図４に示すように、キャップ１が容器口部Ｍに装着された状態では、中足６は容器口部Ｍ内に差し込まれて容器口部Ｍの内周面に密着し、環状リブ７は容器口部Ｍの環状の上端面に密着し、外足８は容器口部Ｍの外周面に密着するように構成されている。
【００２３】  また、キャップ１は、未開封（開栓が一度もされていないこと）を証明する機能を有するピルファープルーフキャップであり、容器口部Ｍに装着された未開封のキャップ１の開封時（最初の開栓時）に、雄ねじＭ１と雌ねじ５の結合が解除されるようにキャップ１を回転させると、キャップ１は容器口部Ｍから離脱するが、スカート壁３の下部に連結されたタンパーエビデンスバンド（以下、単に「バンド」という）９は容器口部Ｍに残留するように構成されている。
【００２４】  すなわち、スカート壁３の下部には、スカート壁３の全周にわたって延びる環状弱化部１０を介してバンド９を連結してあり（図３参照）、環状弱化部１０は、スカート壁３とバンド９とを上下に画するように、スカート壁３及びバンド９の周方向に断続して延びる（ミシン目状の）スリットと、隣り合うスリットの間に存在するブリッジとで構成され、ブリッジは所定の力で引っ張られると破断する。
【００２５】  また、バンド９の内周側には、内向きに突出する係止片（フラップ）１１を、周方向に間隔をおいて複数（本例では８個）設けてある（図１（Ｂ）及び図３参照）。各係止片１１は、キャップ１が容器口部Ｍに装着された状態で、容器口部Ｍの外周において雄ねじＭ１よりも下方に形成された環状突起（ビード部）Ｍ２の略下側へ位置し、開栓操作によって環状突起Ｍ２に係止する（図４参照）。すなわち、係止片１１は、環状突起Ｍ２に下方から係止可能に構成され、開封の際に、環状弱化部１０より上方にあるスカート壁３及び天壁２は容器口部Ｍから離脱し、環状弱化部１０より下方にあるバンド９は容器口部Ｍに残留し、これに伴って環状弱化部１０は破断する。
【００２６】  ここで、バンド９はスカート壁３及び天壁２と一体成形され、バンド９に設けられる係止片１１は、キャップ１の成形時には図２に示すように下向きに突出しているが、容器口部Ｍへのキャップ１の装着の際に、環状突起Ｍ２に押し上げられて反転し、図３及び図４に示すように上向きに突出する状態となる。
【００２７】  そして、本実施形態では、図１（Ｂ）及び図３に示すように、少なくとも一部の係止片１１の下面において左右の幅方向（バンド９の周方向）の中央に、下方に突出する凸部（突出部の一例）１２を設ける。図示例では、凸部１２を設けた係止片１１と設けていない係止片１１とがバンド９の周方向に交互に並んでいる。
【００２８】  ここで、開封時に、上向きに突出している係止片１１が大きく倒れてしまうと、環状突起Ｍ２に押圧された係止片１１が再反転して下向きに突出する状態になり易く、係止片１１が環状突起Ｍ２に良好に係止しなくなる。しかし、本実施形態では、係止片１１の下面に凸部１２を設けてあり、上向きに突出している係止片１１が大きく倒れてしまうこと（倒れ込むこと）は、容器口部Ｍの外周面（環状突起Ｍ２の直下に位置する部分Ｍ３）に対する凸部１２の当接によって防止され、これにより、環状突起Ｍ２に対する係止片１１の係止が良好に行われることとなる。
【００２９】  そして、この効果は、キャップ１を、容器口部Ｍが結晶化されている結晶化ボトルに用いるよりも、容器口部Ｍが非結晶化状態にある非結晶ボトルに用いた場合に、特に有用となる。これは、結晶化ボトルの容器口部Ｍでは、図４に示すように、環状突起Ｍ２の直下の部分Ｍ３の外径は比較的大きいので、係止片１１が大きく倒れ難いのに対して、非結晶ボトルの容器口部Ｍでは、図５に示すように、環状突起Ｍ２の直下の部分Ｍ３の外径は比較的小さいので、係止片１１が大きく倒れ易いためである。
【００３０】  しかも、係止片１１の下面に凸部１２を設ける場合、この凸部１２によるリブ効果により、係止片１１の強度が向上することになるので、係止片１１全体を薄くして軽量化を図ることも容易となる。
【００３１】  係止片１１の厚みや凸部１２の厚みは、容器口部Ｍの寸法等を考慮して決定すればよく、本実施形態では、凸部１２を含む係止片１１の先端部の厚みは１．０〜２．０ｍｍ（例えば１．２ｍｍ）であり、凸部１２のみの厚みは０．３〜０．６ｍｍ（例えば０．５ｍｍ）としてある。
【００３２】  また、本実施形態では、図１（Ｂ）及び図３に示すように、隣り合う係止片１１の先端部どうしを連結部１３によって連結し、全ての係止片１１を環状に繋げてある。そして、この構成によっても、開封時に、上向きに突出している係止片１１が大きく倒れてしまうことは防止され、その結果、環状突起Ｍ２に対する係止片１１の係止が非常に良好に行われることとなる。
【００３３】  なお、本発明は、上記の実施の形態に何ら限定されず、本発明の要旨を逸脱しない範囲において種々に変形して実施し得ることは勿論である。例えば、以下のような変形例を挙げることができる。
【００３４】  図１（Ｂ）及び図３に示す例では、凸部１２を設けた係止片１１と設けていない係止片１１とがバンド９の周方向に交互に並んでいるが、これに限らず、凸部１２を設けた一つ以上の係止片１１からなる群と、凸部１２を設けていない一つ以上の係止片１１からなる群とが、バンド９の周方向に交互に並ぶようにし、かつ、各郡を構成する係止片１１がバンド９の周方向に並ぶようにしてもよく、この場合、各郡を構成する係止片１１の個数は任意に設定可能である。換言すれば、例えば、凸部１２を設けた一つの係止片１１と、凸部１２を設けていない二つの係止片１１とがバンド９の周方向に交互に並ぶようにしてもよく、この場合において、凸部１２を設けた係止片の数を一つ以外とし、凸部１２を設けていない係止片１１の数を二つ以外とすることができる。また、全ての係止片１１に凸部１２を設けてもよい。
【００３５】  図１（Ｂ）、図２に示す例では、凸部１２を係止片１１の下面の先端から基端まで設けているが、これに限らず、例えば凸部１２を係止片１１の先端部の下面のみに設けるようにしてもよい。また、図１（Ｂ）及び図３に示す例では、凸部１２を、係止片１１の左右の幅方向における中央に設けているが、これに限らず、係止片１１の左右の何れか一方に偏った位置に設けてもよいし、一つの係止片１１に対して単数ではなく複数設けてもよい。
【００３６】  図１（Ｂ）及び図３に示す例では、隣り合う係止片１１の先端部どうしを連結部１３によって連結し、全ての係止片１１を環状に繋げてあるが、これに限らず、一部の係止片１１どうしのみを連結部１３によって連結するようにしてもよい。
【００３７】  図１〜図４に示す例では、容器口部Ｍに装着されたキャップ１において、容器口部Ｍの外周面に当接し、係止片１１の倒れ込みを防止する突出部として、環状突起Ｍ２の直下の部分Ｍ３に当接する凸部１２を設けているが、突出部は、この凸部１２のように係止片１１の下面に設けられるものに限らない。すなわち、突出部として、例えば、図６〜図８に示すように、係止片１１の先端から先方に突出し、環状突起Ｍ２の外周面に当接する爪部１４を設けてもよい。
【００３８】  詳述すると、爪部１４は、図６に示すように、係止片１１の左右の幅方向における中央に設けられ、図７及び図８に示すように、係止片１１と爪部１４との境に、環状突起Ｍ２が係止する段部１５が形成されるように、係止片１１の先端よりも薄肉に構成されている。換言すれば、下面側（係止片１１が上向きに突出しているときに内周面となる側であって環状突起Ｍ２に向く側）の肉を盗んだ状態とすることにより、爪部１４の肉厚を係止片１１の先端の肉厚よりも薄くしている。
【００３９】  ここで、爪部１４の長さ（係止片１１から延長した長さ）は、１．０〜２．０ｍｍである。また、爪部１４を厚くし過ぎると段部１５が狭くなって環状突起Ｍ２の係止不良が生じ易くなり、爪部１４を薄くし過ぎると折れ易くなることを考慮して、図示例では、係止片１１の厚みが０．７ｍｍであるのに対して、爪部１４の厚みを０．１〜０．４ｍｍ（好適には０．２ｍｍ）としてある。
【００４０】  このように爪部１４を設けておけば、開封時に、上向きに突出している係止片１１が倒れてしまうことを、環状突起Ｍ２の外周面に対する爪部１４の当接によって防止することができ、環状突起Ｍ２に対する係止片１１の係止が非常に強力に行われることとなる。
【００４１】  ここで、図６に示す例では、爪部１４を各係止片１１に設けているが、例えば、係止片１１が８個（偶数個）ある場合、爪部１４を設けた係止片１１と設けていない係止片１１とがバンド９の周方向に交互に並ぶようにしてもよく、このように、爪部１４の数や配置については、凸部１２と同様にバリエーションを持たせることができる。
【００４２】  また、図６に示す例では、爪部１４を、係止片１１の左右の幅方向における中央に設けているが、これに限らず、係止片１１の左右の何れか一方に偏った位置に設けてもよいし、一つの係止片１１に対して単数ではなく複数設けてもよく、また、一つの係止片１１に対して一つの爪部１４を設ける場合には、爪部１４を係止片１１と同幅にしたり、係止片１１よりも幅広にしたりしてもよい。
【００４３】  また、図７、図８に示す例では、爪部１４を係止片１１の先端より薄肉にしているが、これに限らず、爪部１４の肉厚を係止片１１の先端の肉厚と同程度してもよく、また、爪部１４の肉厚は、基端から先端まで略一定でもよいし、例えば先端に向かって肉薄となるように構成してもよい。そして、この場合、例えば段部１５の代わりに環状突起Ｍ２の先端が嵌まり込む凹溝を設けるようにしてもよい。
【００４４】  また、図６〜図８に示すように係止片１１に爪部１４を設ける場合、図９に示すように、係止片１１あるいは爪部１４の上面側（係止片１１が上向きに突出しているときに外周面となる側）に突出部１６を設けるようにしてもよい。この場合、バンド９の内周面に対する突出部１６の当接により、係止片１１が過度に上向きに反り返ることが制限されるので、係止片１１が上向きに反り返り過ぎて段部１５に対する環状突起Ｍ２の係止が解除され、バンド９が環状突起Ｍ２の上方にすっぽ抜けることを確実に防止することができる。そして、この場合、突出部１６を爪部１４の根元部に設ければ、薄肉状の爪部１４を折れ難くすることができる。
【００４５】  一つの係止片１１に対し、突出部としての凸部１２と爪部１４の両方を設けるようにしてもよい。この場合、凸部１２を係止片１１の先端にまで延びるように設けておくことにより、環状突起Ｍ２が凸部１２にも係止することになるので、環状突起Ｍ２に対する係止片１１の係止がより良好に行われることとなる。
【００４６】  なお、上記変形例どうしを適宜組み合わせてもよいことはいうまでもない。
【符号の説明】
【００４７】  １    キャップ  ２    天壁  ３    スカート壁  ４    ローレット溝  ５    雌ねじ  ６    中足  ７    環状リブ  ８    外足  ９    タンパーエビデンスバンド１０    環状弱化部１１    係止片１２    凸部１３    連結部１４    爪部１５    段部１６    突出部  Ｍ    容器口部  Ｍ１  雄ねじ  Ｍ２  環状突起  Ｍ３  環状突起の直下の部分
【図１】
2017061001.tif 000003
【図２】
2017061001.tif 000004
【図３】
2017061001.tif 000005
【図４】
2017061001.tif 000006
【図５】
2017061001.tif 000007
【図６】
2017061001.tif 000008
【図７】
2017061001.tif 000009
【図８】
2017061001.tif 000010
【図９】
2017061001.tif 000011
【国際調査報告】
2017061001.tif 000012
2017061001.tif 000013
2017061001.tif 000014
2017061001.tif 000015